(57)【要約】【課題】伝送情報量を削減し、かつ、基地局の周波数割り当てに必要な回線品質の精度を保つことができる回線品質報告方法を得ること。【解決手段】基地局が、移動局が回線品質の報告の要否を判定するための回線報告指標を、回線品質と目標回線品質との差に基づいて決定して送信するステップと、移動局が基地局からの受信データの回線品質を測定し回線品質の変動量を算出するステップと、移動局が変動量と回線報告指標に基づいて周波数ブロックごとに回線品質を報告するか否かを判定するステップと、基地局が報告された回線品質に基づいて周波数割り当てを行うステップと、を含む。【選択図】        図３
2008288812.tif 000002
【特許請求の範囲】
【請求項１】
基地局が移動局に周波数ブロックを割り当てるマルチキャリア通信システムにおける回線品質報告方法であって、
前記基地局が、前記移動局からの受信データに基づいて前記移動局との回線の品質を示す回線品質指標を求める回線品質算出ステップと、
前記基地局が、前記移動局が前記周波数ブロックごとに回線品質を報告するか否かを判定するための回線報告指標を、前記回線品質指標と所定の目標回線品質指標との差に基づいて決定し、その回線報告指標を前記移動局に送信する回線報告指標送信ステップと、
前記移動局が、前記基地局からの受信データに基づいて回線品質を測定する回線品質測定ステップと、
前記移動局が、前記周波数ブロックごとに、測定した回線品質と過去の回線品質との差をあらわす変動量を算出する変動量算出ステップと、
前記移動局が、前記変動量と前記回線報告指標に基づいて、前記周波数ブロックごとに回線品質を報告するか否かを判定する報告判定ステップと、
前記移動局が、前記報告判定ステップで報告すると判定した周波数ブロックの回線品質を前記基地局へ報告する回線品質報告ステップと、
前記基地局が、報告された回線品質に基づいて周波数ブロックの割り当てを行うスケジューリングステップと、
を含むことを特徴とする回線品質報告方法。
【請求項２】
前記回線品質指標をデータの誤り率とすることを特徴とする請求項１に記載の回線品質報告方法。
【請求項３】
前記回線報告指標を前記変動量に対する閾値とし、
前記報告判定ステップでは、前記変動量が閾値以上となる周波数ブロックについて回線品質を報告すると判定することを特徴とする請求項１または２に記載の回線品質報告方法。
【請求項４】
前記回線報告指標を前記変動量に対する閾値とし、
前記報告判定ステップでは、前記変動量が閾値以上となる周波数ブロックのうち、回線品質の良い上位所定の個数の周波数ブロックについて回線品質を報告すると判定することを特徴とする請求項１または２に記載の回線品質報告方法。
【請求項５】
前記所定の個数を前記基地局が移動局に送信することを特徴とする請求項４に記載の回線品質報告方法。
【請求項６】
前記回線報告指標を、前記変動量に対する閾値と、前記変動量と前記閾値を比較する個数を指定するための閾値判定数とし、
前記報告判定ステップでは、前記周波数ブロックのうち、回線品質の良い上位閾値判定数個の前記周波数ブロックについて、前記変動量と前記閾値を比較し、前記比較を行った周波数ブロックのうち変動量が前記閾値以上となる周波数ブロックが１つ以上ある場合に回線品質を報告すると判定し、前記比較を行った周波数ブロックのうち変動量が前記閾値以上となる周波数ブロックが無い場合には全ての周波数ブロックについて回線品質の報告をしないと判定することを特徴とする請求項１または２に記載の回線品質報告方法。
【請求項７】
前記回線報告指標送信ステップでは、前記回線品質指標が前記目標回線品質指標を満たさない場合には前記閾値を減少させ、前記回線品質指標が前記目標回線品質指標を満たす場合には前記閾値を増加させることを特徴とする請求項３〜６のいずれか１つに記載の回線品質報告方法。
【請求項８】
前記回線報告指標を、正の前記変動量に対する正の閾値と、負の前記変動量に対する負の閾値とし、
前記報告判定ステップでは、周波数ブロックごとに、前記変動量が正の値であった場合には、前記変動量が前記正の閾値以上となる周波数ブロックについて回線品質を報告すると判定し、一方、前記変動量が負の値であった場合には、前記変動量の絶対値が前記負の閾値の絶対値以上となる周波数ブロックについて回線品質を報告すると判定することを特徴とする請求項１または２に記載の回線品質報告方法。
【請求項９】
前記回線報告指標送信ステップでは、前記回線品質指標が前記目標回線品質指標を満たさない場合には前記正の閾値または／および前記負の閾値の絶対値を減少させ、前記回線品質指標が前記目標回線品質指標を満たす場合には前記正の閾値または／および前記負の閾値の絶対値を増加させることを特徴とする請求項８に記載の回線品質報告方法。
【請求項１０】
前記回線品質算出ステップでは、前記基地局が送信したデータに対する前記移動局からの応答であるＡＣＫまたはＮＡＣＫに基づいて前記移動局との回線品質を求めることを特徴とする請求項１〜９のいずれか１つに記載の回線品質報告方法。
【請求項１１】
マルチキャリア通信システムにおいて移動局に周波数ブロックを割り当てる基地局であって、
前記移動局からの受信データに基づいて前記移動局との回線品質を示す回線品質指標を求めるとともに、前記移動局が報告する回線品質を記憶および更新する回線品質情報更新手段と、
前記移動局が前記周波数ブロックごとに回線品質を報告するか否かを判定するための回線報告指標を、前記回線品質指標と所定の目標回線品質指標との差に基づいて決定する回線報告指標決定手段と、
前記決定した回線報告指標を前記移動局に送信する回線報告指標送信手段と、
前記移動局から報告された回線品質に基づいて周波数ブロックの割り当てを行うスケジュール手段と、
を備えることを特徴とする基地局。
【請求項１２】
請求項１１に記載の基地局によって周波数を割り当てられる移動局であって、
前記基地局からの受信データに基づいて回線品質を測定する回線品質測定手段と、
前記基地局から、前記周波数ブロックごとに回線品質を報告するか否かを判定するための回線報告指標を受信する回線報告指標受信手段と、
前記周波数ブロックごとに、測定した回線品質と過去の回線品質との差をあらわす変動量を算出する変動量取得手段と、
前記変動量と前記回線報告指標に基づいて、前記周波数ブロックごとに回線品質を報告するか否かを判定する報告判定手段と、
前記報告判定手段で報告すると判定した周波数ブロックの回線品質を前記基地局へ報告する回線品質送信手段と、
を備えることを特徴とする移動局。
【請求項１３】
請求項１１に記載の基地局と、
請求項１２に記載の移動局と、
を備えることを特徴とする通信システム。
【発明の詳細な説明】
【技術分野】
【０００１】
本発明は、移動通信システムにおける移動局から基地局への回線品質報告方法、基地局、移動局および通信システムに関する。
【背景技術】
【０００２】
従来の移動通信システムでは、基地局は、自局の運用範囲内に在圏する移動局（端末）にパケットを送信する場合、移動局方向への下りリンクの無線状態に応じてパケットの送信方法を適応的に変更することにより、所定の誤り率を実現しながら高効率なデータ伝送を実現している。
【０００３】
具体的には、たとえば、以下のように、変調方式，符号化率を適応的に変更している。移動局への回線品質（下りリンクの無線状態）が良好な場合や低速移動中の場合は、変調方式については変調多値数の多い６４ＱＡＭ（Quadrature  Amplitude  Modulation）等に設定し、符号化率については“１”のように高い数値に設定することにより、高速なパケット送信を実現する。一方、回線品質が悪い場合や中速または高速移動中の場合は、変調方式については変調多値数の少ないＱＰＳＫに設定し、符号化率については“０．２５”のように低い数値に設定することにより、伝送効率は上述の場合よりも劣るが雑音や干渉に耐性のあるパケット送信を実現する。このように適応的に変調方式と符号化率を変更することで、伝播環境の変動に応じた効率的なデータ伝送を実現できる。
【０００４】
また、高速データ伝送を行うためには広帯域な伝送を行うことが望ましいが、広帯域マルチパス環境下では周波数選択性フェージングにより個々の移動局の受信信号の電力強度（回線品質）が周波数軸方向で大きく変化する。その変化状況は移動局ごとに独立であるため、基地局が各移動局の状態を把握し周波数軸上での伝送制御（スケジューリング）を行うことが効率的なデータ伝送に有効であることが知られている。このような制御は、一般に、注水定理と呼ばれる手法に従って行われる。たとえば、全帯域を所定の周波数ごとに分割し、基地局は、分割されたそれぞれの帯域（周波数ブロック）ごとに回線品質の良好な移動局を選択し、選択した移動局にその周波数ブロックを割当てる。このような制御を行うことにより、システムスループットを向上させることができる。
【０００５】
たとえば、下記特許文献１には、注水定理を適用しＯＦＤＭ（Orthogonal  Frequency  Division  Multiplexing）などのマルチキャリア通信システムのシステムスループットを向上させるスケジューリング方法が記載されている。下記特許文献１では、周波数領域で帯域を複数の周波数ブロックに分割し、それぞれの周波数ブロックを回線品質の良い移動局に割り当て、さらに回線品質に応じて変調方式および符号化率を変更することによりシステムスループットを改善する技術が開示されている。
【０００６】
一方、基地局が伝播環境に応じて無線リソースを割当て、適応的に変調方式と符号化率を変更するためには下りリンクあるいは上りリンクの回線品質を把握する必要がある。たとえば、第三世代移動通信システムの標準化団体である３ＧＰＰ（3rd  Generation  Partnership  Project）で規格化されたＨＳＤＰＡ（High  Speed  Downlink  Packet  Access）方式では、ＣＱＩ（Channel  Quality  Indicator）と呼ばれる回線品質を表した情報を移動局が基地局へ送信することにより、基地局が下りリンクの回線品質を把握するようにしている。また、基地局が上りリンクの回線品質を把握する手法として、移動局が送信した既知の信号から求めたＳＩＲ（Signal  to  Interference  Ratio）に基づいて回線品質を求める方法が検討されている。
【０００７】
【特許文献１】特開２００６−２８７７５４号公報
【発明の開示】
【発明が解決しようとする課題】
【０００８】
しかしながら、上記従来の技術によれば、スケジューリングを行うために、基地局が移動局の回線品質を周波数領域および時間領域で周期的に把握する必要がある。そのため、移動局から送信する回線品質情報の伝送情報量が莫大になり、上りリンクの帯域を圧迫してしまう、という問題があった。
【０００９】
また、上記問題の対策として、回線品質情報を周波数領域および時間領域で間引いて報告し、報告された回線品質情報から間引かれた回線品質情報を補間するといった方法がある。しかし、回線品質は移動局の移動などに伴い変動するため、回線品質情報が間引かれると基地局が把握している回線品質と実際の回線品質との間に乖離が生じる可能性がある。すなわち、基地局が把握する回線品質の精度が十分ではなくなるため、実際の回線品質に適さない無線リソースを移動局に割り当てることになる可能性がある。そして、その結果、注水定理を十分に満たさなくなりシステムスループットが低下する可能性がある、という問題があった。
【００１０】
さらに、回線品質情報を周波数領域および時間領域で間引く場合、パケットの再送を行うシステムでは、所望の誤り率を満たさない変調多値数や符号化率を割り当てることによるパケットの誤り率が増大し、再送回数の増加により無線リソースを消費するためスループットが低下する場合がある、という問題があった。また、パケットの再送を複数回行うと、移動局におけるパケットの到着時間に揺らぎが生じてＱｏＳ（Quality  of  Service）を満たさなくなるという問題が生じる。さらに、パケットの再送回数やパケットの到着時間に制限を設けているシステムでは、再送を複数回行っても移動局が正常に受信できない場合、基地局がパケットを破棄する可能性がある。そのため、ＴＣＰレイヤでパケットを再送することになりＴＣＰレイヤの輻輳が生じる可能性がある、という問題があった。
【００１１】
本発明は、上記に鑑みてなされたものであって、移動局から送信される下りリンクの回線品質の伝送情報量を削減し、かつ、基地局がスケジューリングを行ううえで必要となる回線品質の精度を維持することにより、伝送情報量を削減しない回線品質に基づいてスケジューリングを行う場合と比較してシステムスループットが大きく低下することのないデータ伝送を実現することができる回線品質報告方法、基地局、移動局および通信システムを得ることを目的とする。
【課題を解決するための手段】
【００１２】
上述した課題を解決し、目的を達成するために、本発明は、基地局が移動局に周波数ブロックを割り当てるマルチキャリア通信システムにおける回線品質報告方法であって、前記基地局が、前記移動局からの受信データに基づいて前記移動局との回線の品質を示す回線品質指標を求める回線品質算出ステップと、前記基地局が、前記移動局が前記周波数ブロックごとに回線品質を報告するか否かを判定するための回線報告指標を、前記回線品質指標と所定の目標回線品質指標との差に基づいて決定し、その回線報告指標を前記移動局に送信する回線報告指標送信ステップと、前記移動局が、前記基地局からの受信データに基づいて回線品質を測定する回線品質測定ステップと、前記移動局が、前記周波数ブロックごとに、測定した回線品質と過去の回線品質との差をあらわす変動量を算出する変動量算出ステップと、前記移動局が、前記変動量と前記回線報告指標に基づいて、前記周波数ブロックごとに回線品質を報告するか否かを判定する報告判定ステップと、前記移動局が、前記報告判定ステップで報告すると判定した周波数ブロックの回線品質を前記基地局へ報告する回線品質報告ステップと、前記基地局が、報告された回線品質に基づいて周波数ブロックの割り当てを行うスケジューリングステップと、を含むことを特徴とする。
【発明の効果】
【００１３】
この発明によれば、移動局は過去に取得した回線品質と現在の回線品質との変動量を計算し、変動量が小さい場合には、回線品質を基地局へ報告しないようにしたので、移動局から送信される下りリンクの回線品質の伝送情報量を削減しつつ、スケジューリングを行ううえで必要となる回線品質の精度を維持することができるため、システムスループットの低下を抑えることができる、という効果を奏する。
【発明を実施するための最良の形態】
【００１４】
以下に、本発明にかかる回線品質報告方法、基地局、移動局および通信システムの実施の形態を図面に基づいて詳細に説明する。なお、この実施の形態によりこの発明が限定されるものではない。
【００１５】
実施の形態１．
図１は、本発明にかかる基地局１の実施の形態１の機能構成例を示す図である。図１に示すように、本実施の形態の基地局１は、通信ネットワークから受け取ったＩＰ（Internet  Protocol）パケットを送信バッファに振り分けるパケット選別部１１と、ＩＰパケットを待機させるための送信バッファ１２−１〜１２−４と、ＰＤＵ（Protocol  Data  Unit）を生成するＰＤＵ生成部１３と、生成されたＰＤＵに所定の送信処理を行い無線信号として送信する無線送信部１４と、無線信号を受信し所定の受信処理を行う無線受信部１５と、移動局から受信した受信信号に含まれる制御情報を用いて移動局の制御情報の送信方法を制御するための制御情報監視部１６と、ＰＤＵ（Protocol  Data  Unit）の生成方法を制御するスケジュール部１７と、を備える。
【００１６】
基地局１の動作について図１を参照しながら説明する。基地局１のパケット選別部１１は、通信ネットワークからＩＰパケットを受信すると、ＱｏＳの優先度ごとに、受信したＩＰパケットを分類する。なお、ここでいうＱｏＳの優先度とは、たとえばＩＰパケットを送信するまでの許容遅延量などがあげられる。なお、ここではＱｏＳの優先度ごとにパケット分類するようにしたが、たとえば、移動局ごと分類するなど、としてもよい。
【００１７】
パケット選別部１１は、分類したＩＰパケットを、分類ごとにそれぞれ対応する送信バッファ１２−１〜１２−４に格納する。なお、図１では、分類の数を４とし、送信バッファを４つとした構成としているが、これにかぎらず、分類の数および送信バッファの数は、どのような数であってもよい。
【００１８】
無線受信部１５は、各移動局から送信された制御情報を含む無線信号を受信し、復調・復号処理を行って、制御情報を制御情報監視部１６へ出力する。なお、制御情報には、回線品質情報，ＡＣＫ／ＮＡＣＫ（送達確認）が含まれるが、これら以外にも移動局の移動速度を示す情報（例えば、移動速度そのものやドップラー周期）などを含むようにしてもよい。
【００１９】
制御情報監視部１６は、無線受信部１５から入力された制御情報から移動局から通知される下りリンクの回線品質情報を抽出し、その回線品質情報を記憶するとともに、スケジュール部１７へ入力する。すでに、その制御情報を送信した移動局の品質情報を記憶している場合には、記憶している回線品質情報を、抽出した回線品質情報に更新するとともに、抽出した回線品質情報をスケジュール部１７へ入力する。また、この制御情報のうち少なくとも一つ以上の情報を用いて回線品質情報の信頼度を求め、この信頼度に基づいて、移動局が回線品質情報を送信するか否かを決定するための回線品質報告指標を求めてスケジュール部１７へ出力する。
【００２０】
回線品質情報の信頼度は、その制御情報の品質を示す方法であれば、どのような方法で求めてもよいが、たとえば、制御情報のうちＡＣＫ／ＮＡＣＫ情報のデータの誤り率を求めて、その誤り率と基地局であらかじめ決められた目標誤り率との差異を用いて信頼度を求めるようにする。また、制御情報のうち移動局の移動速度を示す情報を用いて、単位時間あたりの回線品質の変動量を推定し、その推定結果に基づいて求めるようにしてもよい。
【００２１】
また、回線品質報告指標は、移動局が過去に報告した回線品質情報と現在の回線品質情報との変動量に基づいて回線品質情報を送信するか否かを決定する際に用いる、変動量に関する閾値である。この閾値は、小さい数値に設定するほど、回線品質情報の報告頻度が高くなり、回線品質情報の精度が向上する。したがって、たとえば、回線品質情報の信頼度が低い（品質が悪い）場合には、回線品質情報の信頼度が高い（品質が良い）場合より、閾値を小さい数値に設定する。このようにようにすれば、回線品質情報の信頼度が低い場合には、回線品質情報の精度を向上させる方向に制御することができるので、回線品質情報の精度を保つことができる。また、回線品質情報の信頼度が高い場合には、回線品質情報の報告頻度を抑制することができる。
【００２２】
スケジュール部１７は、ＱｏＳの優先順位に基づいて送信バッファ部１２−１〜１２−４からＩＰパケットを取り出し、ＰＤＵ生成部１３へ出力する。また、スケジュール部１７は、ＰＤＵを送信する際に使用する変調方式，符号化率などの伝送に関するパラメータを決定する。変調方式，符号化率は、たとえば、制御情報監視部１６から入力された回線品質情報を用いて決定する。さらに、スケジュール部１７は、制御情報監視部１６から入力された回線品質情報に基づいて各移動局へ割当てる周波数ブロックを決定するための指標であるスケジューリング指標を求め、このスケジューリング指標に基づいて周波数ブロックの割当て（スケジューリング）を行う。たとえば、このスケジューリング指標は、回線品質がよい場合はスケジューリング指標が大きくなるような算出方法により求め、スケジューリング指標が大きいほど周波数ブロックを優先して割当てることしておけばよい。なお、スケジューリング指標としては、回線品質情報以外に移動局の移動速度やＩＰパケットを送信するまでの許容遅延などを用いて求めるようにしてもよい。また、スケジュール部１７は、制御情報監視部１６から入力された回線品質報告指標を制御情報としてＰＤＵ生成部１３へ出力する。
【００２３】
ＰＤＵ生成部１３は、入力されたＩＰパケットをＰＤＵ化する。ＩＰパケットをＰＤＵ化する際には、一つのＩＰパケットを分割して複数のＰＤＵにしてもよいし、複数のＩＰパケットを結合して一つのＰＤＵにしてもよい。また、スケジュール部１７から入力された制御情報については、ＰＤＵ化した後に制御情報を送信するためのチャネル（制御チャネル）を用いて送信してもよいし、ＩＰパケットのＰＤＵに結合してＩＰパケットとともに送信してもよい。
【００２４】
無線送信部１４は、スケジュール部１７が決定した伝送に関するパラメータ（変調方式，符号化率などの情報）に基づいてＰＤＵ生成部１３が生成したＰＤＵの符号化および変調処理を行い、スケジューリング部１７の割当て結果に従い一つ以上の周波数ブロックを用いて移動局へ送信する。
【００２５】
つづいて、制御情報監視部１６の詳細について図２を用いて説明する。図２は、本実施の形態の制御情報監視部１６の機能構成例を示す図である。制御情報監視部１６は、回線品質情報更新部３１と閾値決定部３２で構成される。回線品質情報更新部３１は無線受信部１５から入力された制御情報のうち移動局から通知される下りリンクの回線品質情報を抽出して記憶する（すでに記憶されている品質情報と同一の移動局の回線品質情報の場合には、基地局１で記憶している回線品質情報を更新する）。
【００２６】
なお、移動局から通知される回線品質情報は時間領域で平均化されていてもよい。また、基地局１が、移動局から通知される下り回線品質情報を時間領域で平均化してもよい。この場合、制御情報監視部１６が下り回線品質情報の平均化を行ってもよいし、図示していない他の構成要素などが回線品質情報を平均化して、その平均化後の回線品質情報を制御情報監視部１６が取得するようにしてもよい。また、移動局から通知される回線品質情報が基地局に割り当てられた帯域のうち特定の周波数ブロックのみ報告された場合は、報告された周波数ブロックの回線品質情報のみ更新する。また、移動局から通知される回線品質情報が周波数領域の近似式を用い、近似式の係数などで表現されている場合は、その係数などを用いた近似式の計算結果（近似値）を用いて回線品質情報を算出して、回線品質情報を記憶および更新するようにする。また、移動局から通知される回線品質情報が時間領域または周波数領域の差分を用いて表現されている場合は、その差分情報を用いて回線品質情報を算出して、回線品質情報を記憶および更新するようにする。
【００２７】
閾値決定部３２は、無線受信部１５から入力された制御情報のうち少なくとも一つ以上の情報を用いて回線品質情報の信頼度を求め、この信頼度に基づいて回線品質報告指標（閾値）を決定してスケジュール部１７へ出力する。また、回線品質報告指標は移動局毎に異なる方法で求めてもよいし、基地局に在圏する全ての移動局に対して同じ方法で求めてもよい。また、閾値を周期的に求めてスケジュール部１７へ入力してもよいし、閾値の変更が必要な場合のみスケジュール部１７へ入力してもよい。
【００２８】
図３は、本実施の形態の移動局２の機能構成例を示す図である。本実施の形態の移動局２は、無線信号を受信し所定の受信処理を行い受信データとして出力する無線受信部２１と、受信データからＰＤＵを復元するＰＤＵ復元部２２と、ＰＤＵをＩＰパケットに分割または結合するＩＰパケット復元部２３と、サブキャリアに挿入された既知のデータ（パイロットシンボルまたはリファレンスシンボルともいう）を用いてサブキャリアの回線品質を測定する回線品質測定部２４と、測定した回線品質を基地局へ回線品質情報として報告するか否かを判定する報告判定部２５と、回線品質情報およびその他の制御情報として送信するデータに所定の送信処理を行い無線信号として送信する無線送信部２６と、を備える。
【００２９】
つづいて、移動局２の動作について図３を参照して説明する。無線受信部２１は、基地局１から送信された無線信号を受信する。そして、無線受信部２１は受信した信号を復調・復号しＰＤＵ復元部２２へ出力する。また、無線受信部２１は受信した信号が回線品質報告指標を含む場合には、報告判定部２５に回線品質報告指標を出力する。ＰＤＵ復元部２２は、復号した受信データからＰＤＵを復元し、ＩＰパケット復元部２３へ出力する。ここで、ＰＤＵを復元できない（ＣＲＣ（Cyclic  Redundancy  Check）エラーとなるなど）場合は、ＮＡＣＫを無線送信部２６経由で制御情報として基地局１へ送信し、基地局１が、ＮＡＣＫの信号を受信すると、そのＰＤＵの再送を実施するようにしてもよい。
【００３０】
ＩＰパケット復元部２３は、復元されたＰＤＵがＩＰパケットの一部を構成している場合は一つ以上のＰＤＵを結合してＩＰパケットを復元する。また、復元されたＰＤＵが一つ以上のＩＰパケットにより構成されている場合は、ＰＤＵを一つ以上に分割することによりＩＰパケットを復元する。
【００３１】
回線品質測定部２４は、サブキャリアに挿入された既知のデータを用いてサブキャリア毎の回線品質を測定する。そして、回線品質測定部２４は、サブキャリア毎に測定した回線品質に基づいて、周波数ブロックごとの回線品質を求め回線品質情報として報告判定部２５へ出力する。なお、この既知のデータはすべてのサブキャリアに挿入されていなくてもよい。たとえば、一つ以上のサブキャリア間隔おき，一つ以上のフレーム間隔で挿入されていてもよい。そして、たとえば、測定した回線品質を周波数領域，時間領域に補間して、回線品質を求めるようにしてもよい。また、測定した回線品質を時間領域，周波数領域で平均化し、その平均化した値に基づいて回線品質情報を求めるようにしてもよい。
【００３２】
報告判定部２５は、回線品質測定部２４から入力された周波数ブロックごとの回線品質情報を用いて回線品質の変動量（過去の品質情報との差）を求める。そして、報告判定部２５は、求めた変動量と無線受信部２１から入力される閾値（回線品質報告指標）を用いて、周波数ブロックごとに基地局へ回線品質情報を送信するか否かを決定し、回線品質情報を送信すると決定した周波数ブロックの回線品質情報を周波数ブロックごとに無線送信部２６へ出力する。なお、ここでは、閾値は基地局から報告された制御情報に基づいて変更されるようにしているが、閾値はあらかじめ固定値として定めておくようにしてもよい。
【００３３】
無線送信部２６は、報告判定部２５から入力された周波数ブロックごとの回線品質情報を符号化・変調し、制御情報として基地局１へ送信する。この制御情報の送信方法には特に制約はなく、たとえば、無線送信部２６はあらかじめ決められた周期で周波数ブロックごとに制御情報を送信するようにすればよい。また、無線送信部２６は直交符号と制御情報を乗算して乗算結果を送信するようにしてもよい。また、基地局１から上りリンクのユーザデータを送信するための帯域が移動局２に対して割り当てられている場合は、その帯域でユーザデータを送るためのＰＤＵに制御情報のＰＤＵを結合して基地局１へ送信するようにしてもよい。
【００３４】
図４は、本実施の形態の移動局２の報告判定部２５の機能構成例を示す図である。図４に示したように、報告判定部２５は、回線品質記憶部３３と変動量取得部３４と閾値判定部３５と、を備える。
【００３５】
つぎに報告判定部２５の詳細な動作について図４を参照して説明する。回線品質記憶部３３は、回線品質測定部２４から入力される周波数ブロックごとの回線品質情報を記憶する。変動量取得部３４は、回線品質測定部２４から入力された周波数ブロックごとの回線品質情報と、回線品質記憶部３３が記憶している過去の回線品質情報を用いて、周波数ブロックごとに回線品質情報の変動量を求める。
【００３６】
なお、ここでは、変動量を求めるために用いる過去の回線品質情報として、回線品質記憶部３３に記憶されている最近の回線品質情報が基地局１に対して送信済みの最近の回線品質情報と一致するように記憶されているとし、回線品質記憶部３３に記憶されている最近の回線品質情報を用いることとする。なお、回線品質記憶部３３に記憶されている最近の回線品質情報と基地局１に対して送信済みの最近の回線品質情報が一致しない可能性がある場合には、たとえば、変動量取得部３４が無線送信部２６から送信済みの回線品質情報を受け取り、それを回線品質記憶部３３で記憶するようにすればよい。また、変動量を求めるために用いる過去の回線品質情報は、最近の回線品質情報の替わりに任意の時刻まで遡った一つ以上の回線品質情報を平均化して用いるようにしてもよい。また、変動量は過去の回線品質情報と回線品質測定部２４から入力された回線品質情報の差を直接計算することにより求めてもよいし、過去の回線品質情報との変化を示す他の適当な方法を用いて求めてもよい。また、たとえば、一つ以上の周波数ブロックの回線品質情報を平均化し、平均化した値と平均化した過去の回線品質情報を用いて変動量を求めるようにしてもよい。
【００３７】
閾値判定部３５は、変動量取得部３４から入力された周波数ブロックごとの回線品質情報の変動量と、基地局１から制御情報として送信された閾値を無線受信部２１から受け取り、変動量が閾値以上となる周波数ブロックの回線品質情報のみを、制御情報として無線送信部２６に出力する。
【００３８】
つづいて、本実施の形態における回線品質情報の報告方法について説明する。図５は、回線品質とその変動量の一例を示す図である。ここでは、基地局１に割り当てられた帯域を５つの周波数ブロック（ａ，ｂ，ｃ，ｄ，ｅ）に分割したとする。そして、移動局２が、過去に報告した周波数ブロックごとの回線品質情報と、回線品質測定部２４が測定した現在の周波数ブロックごとの回線品質情報と、周波数ブロックごとの回線品質情報の変動量と、それぞれ図５の通りとする。基地局１が、移動局２に対して送信した閾値（回線品質報告指標）を３とした場合には、変動量が３よりも小さい周波数ブロックａ，ｃ，ｄの回線品質情報を基地局に対して報告しなくてよい。したがって、単位時間あたりに移動局２が基地局１に回線品質情報を報告する対象となる周波数ブロックの数を削減することができる。
【００３９】
また、基地局１が移動局２に対して送信した閾値を２とした場合には、変動量が２よりも小さい周波数ブロックｄの回線品質情報は基地局に対して報告しないことになる。この場合、閾値を３とした場合に比べ、周波数ブロックａ，ｃの回線品質情報を余分に報告することとなり報告する情報量は増えるが、閾値を３とした場合に比べて基地局１が取得する回線品質情報の精度を向上することができる。
【００４０】
以上のように、本実施の形態では、移動局２が周波数ブロックごとの回線品質情報のうち変動量が閾値より小さい周波数ブロックの回線品質情報は基地局へ送信しないので、移動局２が単位時間当たりに送信する制御情報量を小さくすることができる。つまり、移動局２は制御情報の送信に要する送信電力を削減することができるため移動局２の低消費電力化が可能となる。また、制御情報の送信に要する周波数帯域を削減することができるため、その削減した帯域を用いて上りリンクのユーザデータを送信することが可能となり、上りリンク全体のスループットを向上させることができる。
【００４１】
また、移動局２が周波数ブロックの回線品質情報を基地局に報告するか否かを判定するために用いる閾値を、基地局１が制御することにより、基地局１が取得する回線品質情報の信頼度を維持することができる。たとえば、移動局２に対して送信したＩＰパケットの誤り率がＱｏＳによって定められた目標誤り率を上回っている場合、閾値を小さく設定する。このようにすると、移動局２から回線品質の変動量が小さい周波数ブロックの回線品質情報も報告されるため、基地局１は実際の回線品質に近い回線品質情報を用いてスケジューリングすることが可能となりＩＰパケットの誤り率を目標誤り率に近づけることができる。
【００４２】
このように、本実施の形態では、基地局１が移動局２に対してＰＤＵの誤り率が目標誤り率に近づくように閾値を決定し、閾値を制御情報として移動局２に送信するようにした。また、移動局２は、周波数ブロックごとの回線品質の変動量を求め、変動量が基地局から報告された閾値以上となる周波数ブロックのみ回線品質情報を基地局１へ送信することとした。このため、移動局２が基地局１へ送信する回線品質情報の情報量を削減しつつ、基地局１がスケジュールに用いる回線品質情報の信頼度を維持することができる。したがって、回線品質情報を削減した場合でも、基地局１が実際の回線品質と乖離した回線品質情報を参照してスケジュールする確率が低くなるため、適応変調誤りを防ぐことができ、システムスループットの低下を防ぐことができる。
【００４３】
実施の形態２．
つづいて、本発明にかかる実施の形態２の回線品質報告方法について説明する。本実施の形態の基地局および移動局の構成は、実施の形態１と同様であるため説明を省略する。実施の形態１では、移動局２が、周波数ブロックごとの回線品質の変動量と、基地局から制御情報として報告された閾値と、に基づいて回線品質情報を基地局に送信するか否かを決定したが、実施の形態１の方法では、単位時間あたりに移動局が基地局へ報告する制御情報量（たとえば、回線品質情報を報告する対象となる周波数ブロックの数）が変動する可能性がある。
【００４４】
一般に、運用の観点から単位時間あたりに移動局２が基地局１へ報告する制御情報量は固定値であることが望ましい。この制御情報量を固定値とする場合、たとえば、単位時間あたりに回線品質情報を報告できる周波数ブロックの数を所定の個数に制限する場合、所定の個数を全周波数ブロックの数に近い大きな数値に設定すると、全ての周波数ブロックの回線品質情報を報告する場合に比べ情報量はほとんど削減されない。一方、所定の個数を全周波数ブロックの数に対して小さい数値に設定すると、単位時間あたりに回線品質情報が報告されない周波数ブロックが多くなる。この場合、基地局１が回線品質情報を取得する周波数ブロックの数が少ない数に制限されることになり、回線品質の良くない状態などでは、スケジューリングの際に注水定理を満たさなくなり、スループットが低下する可能性がある。
【００４５】
上記の問題を解決するために、本実施の形態では、移動局２が単位時間あたりに基地局へ送信できる回線品質情報の量を限定しつつ、スループットの低下を防ぐ回線品質報告方法を実現する。
【００４６】
まず、本実施の形態では、移動局２が単位時間あたりに基地局に対して回線品質情報を報告できる周波数ブロックの数を固定値とし、以下では、この固定値を報告数とよぶこととする。報告数ｋは、あらかじめ決めておいてもよいし、基地局１から移動局２へ制御情報として送信するようにしてもよい。本実施の形態では、移動局２が全周波数ブロックからｋ個の周波数ブロックの選び方は、回線品質が高い順に選ぶ方法とする。これにかぎらず、ｋ個の周波数ブロックの選び方は、他の適当な指標によって周波数ブロックの順位付けを行った結果を用いて選ぶようにしてもよい。
【００４７】
本実施の形態では、移動局２の報告判定部２５が、回線品質情報を送信するｋ個の周波数ブロックを選ぶ際に、回線品質の変動量が閾値よりも小さい周波数ブロックが存在する場合はその周波数ブロックを除いた上位ｋ個の周波数ブロックの回線品質情報を基地局へ報告する。すなわち、回線品質の変動量が閾値以上となる周波数ブロックから、回線品質が上位ｋ個となる周波数ブロックを選択する。
【００４８】
また、本実施の形態では、報告判定部２５による選択が行われて回線品質情報の報告がされる場合、基地局１では、報告のない周波数ブロックについては前回の報告値と同じ値と判断する。このとき、回線品質が急速に悪化した周波数ブロックがある場合、移動局２の報告判定部２５で選択されるｋ個にその周波数ブロックが含まれない場合がある。この場合、実際にはその周波数ブロックの回線品質が低下しているにも関わらず、基地局１は、その周波数ブロックの回線品質が良いと判断してしまうことになる。このような誤判断を防ぐために、たとえば、上述の報告判定部２５による選択後にｋ個を報告するケースと、全ての周波数ブロックのなかから上位ｋ個の回線品質情報を報告するケースの二つにわけ、移動局２が２つのケースを動的に切り替えて用いるようにすればよい。たとえば、移動局２は、定期的に、全ての周波数ブロックのなかから上位ｋ個の回線品質情報を報告するケースを実行し、基地局１では、このケースの回線品質情報を受信した場合には、その受信データに含まれるｋ個の周波数ブロック以外については、回線品質情報をこれらｋ個の回線品質情報の最低の値より小さい値に設定するようにする。
【００４９】
なお、基地局１が、移動局２がどちらのケースで周波数ブロックの回線品質情報が報告したかを認識する方法は、たとえば、移動局２が二つのケースを識別できる識別ビットを制御情報に含めて基地局１へ送信するようにすればよい。なお、この識別ビットは１ビットとしてもよいし、複数ビットとしてもよい。また、これら二つの報告ケースを識別できる他の適当な方法を用いてもよい。また、識別ビットを用いずに、所定の周期ごとに二つのケースの送信タイミングをそれぞれ周期内で固定的に決めておいて、区別できるようにしてもよい。さらに、その所定の周期を基地局１から制御情報として送信し、移動局２がその制御情報に基づいて周期を更新するようにしてもよい。
【００５０】
ここで、図５を用いて、本実施の形態における回線品質情報の報告方法について説明する。たとえば、回線品質情報の値が大きい（回線品質が良い）上位３個の周波数ブロックの回線品質情報を基地局へ報告する場合、報告判定部２５による選択を行わない場合は、報告対象となる周波数ブロックは、全周波数ブロックのなかから回線品質情報の高いｃ，ｄ，ｅとなる。一方、報告判定部２５による選択を行う場合で、閾値を２とした場合、変動量が２よりも小さい周波数ブロックｄの回線品質情報を基地局１に対して報告しなくてよいため、周波数ブロックｄを除いた上位３個である周波数ブロックｂ，ｃ，ｅが報告対象となる。
【００５１】
報告判定部２５による選択を行う場合、基地局１では、移動局２から報告されない周波数ブロックについては、その前に報告された回線品質情報と同じであると判断する。このように、報告判定部２５による選択を行うと、単位時間あたりに移動局２が基地局１に回線品質情報を報告する対象となる周波数ブロックの数を変更せずに、基地局１が正確に把握できる周波数ブロックの回線品質情報の数を向上することができる。本実施の形態のこれ以外の動作は、実施の形態１と同様である。
【００５２】
このように、本実施の形態では、移動局２が単位時間あたりに基地局に対して回線品質情報を報告できる周波数ブロックの数を固定値とした場合に、報告判定部２５が回線品質の変動量が閾値よりも小さい周波数ブロックのなかから上位ｋ個の周波数ブロックを選択して、選択した周波数ブロックの回線品質情報を基地局１へ報告することとした。このため、報告する周波数ブロックの数はｋ個のままで、基地局１が正確な回線品質情報を把握できる周波数ブロックの数が実質ｋ個以上に増えるため、スケジューリングの誤りによるシステムスループットの低下を防ぐことができる。
【００５３】
実施の形態３．
図６は、本発明にかかる実施の形態３の基地局１の制御情報監視部１６ａの機能構成例を示す図である。本実施の形態の基地局は、実施の形態１の制御情報監視部１６を制御情報監視部１６ａに替える以外は、実施の形態１の基地局１と同様である。また、本実施の形態の移動局は、実施の形態１の移動局２と同様である。
【００５４】
本実施の形態では、制御情報監視部１６をスケジュール部１７と連携させることにより、スケジューリングに必要な回線品質情報の信頼度と、スケジューリングに必要な回線品質情報を把握する周波数ブロック数と、を満たす回線品質報告方法を実現する。
【００５５】
図６に示すように、本実施の形態の制御情報監視部１６ａは、回線品質情報更新部３１と、閾値決定部３２と、判定数決定部３６と、を備える。回線品質情報更新部３１と閾値決定部３２については、実施の形態１と同様であるため、同一の符号を付して説明を省略する。
【００５６】
つづいて、本実施の形態の基地局１の制御情報監視部１６ａの動作について図６を参照して説明する。判定数決定部３６は、スケジュール部１７から入力された制御情報を用いて、移動局２の閾値判定部３５が回線品質の変動量と閾値とを比較する周波数ブロックの数を決定する。以下では、この比較する周波数ブロックの数を閾値判定数とよぶこととする。
【００５７】
なお、スケジュール部１７から入力される制御情報はスケジュール部１７が移動局に対して割り当てた周波数ブロックの数とする。または、割当てた周波数ブロックの数を任意の時間範囲で平均化した数でもよい。または、スケジュール部１７が送信バッファ１２−４を監視し、移動局２に対して送信するＩＰパケットのバッファ内滞留量を取得して、取得したバッファ内滞留量を制御情報として用いてもよいし、他の適当な指標を用いてもよい。
【００５８】
判定数決定部３６は、決定した閾値判定数を実施の形態１で説明した閾値とともに回線品質報告指標としてスケジュール部１７に出力する。回線品質報告指標は、上述した実施の形態１と同様に各移動局に対して制御情報として送信される。
【００５９】
つぎに、本実施の形態の移動局２の報告判定部２５の動作について説明する。報告判定部２５を構成する回線品質記憶部３３，変動量取得部３４の動作は実施の形態１と同様のため説明を省略する。
【００６０】
本実施の形態の閾値判定部３５は、変動量取得部３４から入力された周波数ブロックごとの回線品質の変動量と基地局１から制御情報（回線品質報告指標）として送信された閾値とを比較する。このとき、本実施の形態の閾値判定部３５は、基地局１から制御情報（回線品質報告指標）として送信された閾値判定数として指定された数の周波数ブロックについてのみ比較を行う。比較を行う周波数ブロックの選択方法は、たとえば、変動量の多い順，回線品質の良い順に選択するなど、あらかじめ基準を定めておき、その基準に従って閾値判定数の周波数ブロックを選択することとする。
【００６１】
そして、比較を行った全ての周波数ブロックの変動量が閾値よりも小さい場合は、閾値判定部３５は、無線送信部２６へ回線品質情報を出力しない。したがって、回線品質情報は基地局１へ報告されない。また、閾値判定数の周波数ブロックについて比較を行った結果、少なくとも一つ以上の周波数ブロックの変動量が閾値よりも大きい場合は、閾値判定部３５は、無線送信部２６へ周波数ブロックごとの回線品質情報を無線送信部２６に出力する、すなわち、無線送信部２６経由で基地局１に対して回線品質情報を報告する。これ以外の動作は実施の形態１と同様である。
【００６２】
ここで、移動局２が回線品質情報を基地局１へ報告する場合は、全ての周波数ブロックについて回線品質情報を報告してもよく、また、実施の形態１のように変動量が閾値以上となる周波数ブロックについてのみ報告してもよい。また、実施の形態２のように上位ｋ個の回線品質情報を報告してもよい。
【００６３】
また、移動局２が回線品質情報を基地局１へ報告しない場合は、基地局１が、移動局２が回線品質情報を報告していないことを認識するために、移動局２は回線品質情報を報告するか否かの識別ビットを制御情報として報告するようにしてもよい。なお、識別ビットは１ビットでもよく複数ビットを用いてもよい。また、前記回線品質情報を報告するか否かを識別できる他の適当な方法を用いてもよい。
【００６４】
つづいて、図５を用いて本実施の形態の回線品質情報の報告方法について説明する。たとえば、基地局１が移動局２に対して送信した閾値を２とし、閾値判定数を１とする。また、回線品質の大きい順に閾値判定数だけ、変動量と閾値の比較を行う周波数ブロックを選択するとする。図５の例では、現在の回線品質情報の値が最も大きい周波数ブロックｄの変動量が閾値２よりも小さいため、この時刻では移動局２は全ての周波数ブロックの回線品質情報について基地局１へ報告しない。本実施の形態では、以上のように、移動局２が基地局１に回線品質情報を報告する頻度を削減することができる。
【００６５】
このように、本実施の形態では、基地局１の制御情報監視部１６ａが閾値判定数を決定し、移動局２の閾値判定部３５が閾値判定数の周波数ブロックのみ回線品質情報の変動量と閾値との比較を実施することとした。そして、比較を行った全ての周波数ブロックの変動量が閾値よりも小さい場合は回線品質情報を基地局１へ報告せず、比較の結果、周波数ブロックのうち少なくとも一つ以上の周波数ブロックの変動量が閾値よりも大きい場合は、移動局２は基地局１に対して回線品質情報を報告することとした。
【００６６】
このため、移動局２が基地局１へ送信する回線品質情報の情報量を削減しつつ、基地局１がスケジュールに用いる回線品質情報の信頼度を維持することができる。したがって、回線品質情報を削減した場合でも、基地局１が実際の回線品質と乖離した回線品質情報を参照してスケジュールする確率が低くなるため、適応変調誤りを防ぐことができ、システムスループットが低下を防ぐことができる。また、移動局２が基地局１に対して回線品質情報を送る頻度を低減することができるため、移動局２の消費電力を低減することができる。さらには、制御情報の送信に要する周波数帯域を削減することができるため、その削減した帯域を用いて上りリンクのユーザデータを送信することが可能となり、上りリンク全体のスループットを向上できる。
【００６７】
実施の形態４．
つづいて、本発明にかかる実施の形態４の回線品質報告方法について説明する。本実施の形態の基地局および移動局の構成は、実施の形態１と同様であるため、説明を省略する。
【００６８】
実施の形態１では、閾値の値が１つの移動局２に対して１つを前提としているが、本実施の形態では１つの移動局２に対して２つの閾値を用いる。具体的には、移動局２の周波数ブロックの回線品質が正の変動である場合と負の変動である場合に応じて、正の変動に対する閾値と負の変動に対する閾値を用いる。また、実施の形態１と同様、これら２つの閾値は、あらかじめ固定値を設定しておいてもよいし、基地局１が移動局２に対して制御情報として送信するようにしてもよい。
【００６９】
本実施の形態の移動局２の変動量取得部３４は、周波数ブロックごとに現在の回線品質と回線品質記憶部３３に記憶された回線品質から回線品質の変動量を求める際に、正の変動量（回線品質が向上する変動量）と負の変動量（回線品質が低下する）を識別して求めておく。
【００７０】
閾値判定部３５は、変動量取得部３４から入力された正の変動量と、正の変動量に対する閾値を比較し、また、負の変動量と負の変動に対する閾値を比較する。そして、その比較結果に基づいてその周波数ブロックの回線品質情報を基地局１に対して報告するか否かを決定する。たとえば、変動量が正である周波数ブロックについては、変動量が正の変動に対する閾値以上となる場合に回線品質情報を基地局１へ報告し、変動量が負である周波数ブロックについては、変動量の絶対値が負の変動に対する閾値（ここでは、負の変動の閾値は絶対値で与えられているとする）以上となる場合に回線品質情報を基地局１へ報告する。これ以外の処理は実施の形態１と同様である。
【００７１】
つづいて、図５を用いて本実施の形態の回線品質情報の報告方法について説明する。たとえば、基地局１が移動局２に送信した正の変動量に対する閾値と負の変動量に対する閾値を共に３とした場合、報告対象となる周波数ブロックはｂ，ｅとなる。一方、正の変動量に対する閾値を４とし、負の変動量に対する閾値を２とした場合には、報告対象となる周波数ブロックはａ，ｂとなる。このように、正の変動量の閾値よりも負の変動量の閾値を小さく設定すると、回線品質の良くなる方向に変化している周波数ブロックに対し、回線品質の悪くなる方向に変化している周波数ブロックについてより精度良く基地局１へ報告できることになる。回線品質が悪くなる方向に変化している場合、本来割当てるべきでない移動局に対して基地局１が実際より回線品質が良いと判断して誤って割当てる可能性がある。したがって、上述のように正の変動量の閾値よりも負の変動量の閾値を小さく設定することにより、基地局１が誤ったスケジューリングを行うことによるＣＲＣエラーの発生確率を低減することができる。
【００７２】
このように、本実施の形態では、基地局１の閾値決定部３２が回線品質情報の正の変動量に対する閾値と負の変動量に対する閾値を決定し、移動局２の変動量取得部３４が周波数ブロックごとに、回線品質情報の正の変動量と負の変動量とをそれぞれ取得し、閾値判定部３５が正の変動量と負の変動量についてそれぞれ対応する閾値と比較し、変動量が閾値以上となる周波数ブロックについて基地局１へ品質情報を報告するようにした。このとき、負の変動量に対する閾値を正の変動量に対する閾値より小さく設定しておくと、負の変動をしている周波数ブロックの回線品質情報をより正確に把握することができるため、スケジュールの精度が向上しスループットの低下を抑えることができる。
【００７３】
また、正の変動に対する閾値を大きくすることによって、移動局２は正の変動をしている周波数ブロックの回線品質情報を基地局に対して報告する頻度をより少なくすることができ、低消費電力化が期待できる。また、単位時間当たりに基地局に送信する制御情報量が削減されるため、制御情報を送信するのに要した帯域を上りリンクのユーザデータに割り当てることで上りリンクのスループットを向上することができる。
【産業上の利用可能性】
【００７４】
以上のように、本発明にかかる回線品質報告方法は、移動通信システムにおける移動局から基地局への回線品質報告方法に有用であり、特に、高スループットを要求される移動通信システムに適している。
【図面の簡単な説明】
【００７５】
【図１】本発明にかかる基地局の実施の形態１の機能構成例を示す図である。
【図２】実施の形態１の制御情報監視部の機能構成例を示す図である。
【図３】実施の形態１の移動局の機能構成例を示す図である。
【図４】実施の形態１の移動局の報告判定部の機能構成例を示す図である。
【図５】回線品質とその変動量の一例を示す図である。
【図６】実施の形態３の基地局の制御情報監視部の機能構成例を示す図である。
【符号の説明】
【００７６】
１  基地局
２  移動局
１１  パケット選別部
１２−１〜１２−４  送信バッファ
１３  ＰＤＵ生成部
１４  無線送信部
１５  無線受信部
１６，１６ａ  制御情報監視部
１７  スケジュール部
２１  無線受信部
２２  ＰＤＵ復元部
２３  ＩＰパケット復元部
２４  回線品質測定部
２５  報告判定部
２６  無線送信部
３１  回線品質情報更新部
３２  閾値決定部
３３  回線品質記憶部
３４  変動量取得部
３５  閾値判定部
３６  判定数決定部
【図１】
2008288812.tif 000003
【図２】
2008288812.tif 000004
【図３】
2008288812.tif 000005
【図４】
2008288812.tif 000006
【図５】
2008288812.tif 000007
【図６】
2008288812.tif 000008